(57)【特許請求の範囲】
【請求項１】
ベッド面を区分された複数の部分によって構成し、これらの部分のうち、剛体の枠を備えた、少なくとも２つを、交差した２本の剛体の部材（以下、交差材と記す）の４端を２端ずつ、他の剛体の部材（以下、結合材と記す）にピン結合した４本リンク機構（以下、単に４本リンクと記す）によって連結し、相互に旋回できるようにしたベッド、または同様の機能を有する家具。
【請求項２】
前記の複数の部分の相対角度を、解除可能に、所定角度に固定する機構を備えた請求項１記載のベッド、または同様の機能を有する家具。
【請求項３】
４本リンクのうち、１対の結合材のそれぞれの両端のピン結合点を通る２本の直線のなす角度が実用上１８０°になることがないよう、前記角度が最大となる時でも、逆ハの字型に取り付けた請求項１、または請求項２記載のベッド、または同様の機能を有する家具。
【発明の詳細な説明】
【０００１】
【産業上の利用分野】
この発明はベッドまたはカウチとしての状態から、折りたたんでソファまたは椅子とし、またこの逆の変換も可能なソファベッドのうち、剛体の枠を有する方式のものに関わる。
【０００２】
【従来の技術】
これまでの、いわゆるソファベッドのうち、剛体の枠を有する方式のものにあっては、ベッドとした時の短辺方向（以下、巾と記す）を分割して２個の部分に分け、その一方を引き起して背もたれとし、長辺方向（以下、長さと記す）はそのままの極めて長いソファとなるものか、または長さを３個の部分に分けた、その両端部を静止した中央部に対して、１部は引き起して背もたれとし、他の１部は表皮材や緩衝材で連結し、裏返して水平として座面とするものがあった。
【０００３】
【発明が解決しようとする課題】
これまでの、いわゆるソファベッドと称されるものは巾を２分して、その１部を引き起して背もたれとして長さはそのままか、あるいは縮小するものの、座面の高さは高くなり、全く使用しない場合の収納や運搬にも極めて不便であった。また、折り畳んで座面とする際の旋回機構として、表皮材や緩衝材の屈曲性を利用しているので、折り畳み操作と折り畳み前後の機能に安定性が不足し不確実であった。この発明は、このような場合に、各部を積み重ねた形として、さらに小さくまとまった姿とし、前記の欠点を除いて、しかもベッド、ソファの各形態において確実で安定的に身体を保持し、その変換過程においても簡単な操作で円滑に作動するソファベッドを実現することが目的である。
【０００４】
【課題を解決するための手段】
ベッドを構成する複数の部分を連結する方法として、単に回転可能なピン結合ではなく、両端に結合点を持ち、結合点間距離を等しくした２本の部材を交差させて、その４端を２端ずつ、１対、２本の部材に対称的に、これも結合点間距離を等しくピン結合して成る形を基本型とする４本リンク機構（以下、単に４本リンクと記す）を少なくともその１部に用いたものである。
４本リンクの交差した部材を交差材、その両端をピン結合した部材を結合材と記すことにすれば、少なくとも１個の４本リンクのうちの２本の結合材を、それぞれベッドを構成する隣り合う２つの部分に取り付けるものである。この時、同一結合材上の２個の結合点を通るそれぞれの直線がなす角度が、最も開いた状態で実用上１８０°にはならないようにしておく。
【０００５】
このように４本リンクによってそれぞれの一端を連結されたベッドの１つの部分の他端を持ち上げ、旋回させて解除可能に固定すれば背もたれとなり、またさらに旋回すれば完全に裏返しになって収納に便利となり、あるいは座面とすることができる。
上記の４本リンクは、その２種類の部材の長さを適切に定めてあるので、ベッドの表面より下方に取り付けられているにもかかわらず、この４本リンクによって単軸のピン結合の旋回運動とは異なり、２本の交差材と、その両端の４結合点の働きが組み合わさり、総合され、旋回とともに結合材が互いに離れ、連結されている２つの部分は旋回しても、つかえたり、衝突したりせず、あたかも、その表面付近を中心とするように旋回運動をする。
一般的には対称的に左側にも４本リンクを設けるが、連結材相互の角度が定まれば４本リンクの形、各部の位置は一義的に定まるので、結合材を取り付ける部材の左右間の捩れ剛性が確保されていれば、左右同一運動となり、特別に左右の交差材を直結して連動させる必要はなく極めて円滑に安定して旋回する。そしてベッドとソファの両形態において、確実で安定して身体を保持する。
【０００６】
【実施例】
図１に実線によって、展開してベッドまたはカウチなどとした状態を、また鎖線によって折り畳んでソファとした状態と、さらに折り畳んで収納状態とした姿を示す。この実施例は左右対称であるので、主に右半分について説明する。
前部１、中部２、後部３の３部分より成っているが、カウチなどでは２部分としてもよい。その時は前部１および４本リンク１２を省いて考えればよい。
前部１と中部２は４本リンク１２によって、また中部２と後部３は４本リンク２３によってそれぞれ連結されている。前部１、中部２、後部３はいずれも木材などの剛体の枠と緩衝材および表皮材より成っており、特に前部１は裏面にも緩衝材と表皮材を備えている。前部１と後部３は各１対、中部２は２対の短い脚を有する。
【０００７】
図２に４本リンク２３の具体的な形を後部３を背もたれの角度に引き起した状態で示す。４本リンク１２も部材の長さが異なり、所定角度での固定機構が無い他は全く同様である。４本リンク２３の結合材であるリンク２３５、リンク２３７は交差材、リンク２３６、リンク２３８の両端をピン結合して、それぞれ枠３１、枠２１に取り付けられている。なおリンク２３８の両端の結合部は、これに対応するリンク２３５、リンク２３７の結合部とともに、ある程度長くなったシャフトとパイプとなって後部３に加わる横方向の力に耐えられるようになっている。リンク２３５、リンク２３７のそれぞれの結合点を通る直線がなす角度が最大となる展開状態では、図１に示すように逆ハの字形となっていることは４本リンク１２についても全く同様である。リンク２３８には、ボタン２３９が、内蔵されていてバネによって常にリンク２３７の一部に作られた穴列２４０に向かって押されているピンに直結され、スライド操作によって、このピンを抜き、さしして後部３を所定角度に固定・解除できるようになっている。固定・解除機構は他にも多種、すでに公知である。
【０００８】
以上のように構成した実施例は、展開した状態では各部の脚に支えられ、また４本リンク１２、４本リンク２３はともに、その結合材が逆ハの字形に取り付けられているので、垂直方向の荷重にも耐え、ベッドまたは同様の家具としての機能を実現している。前部１の前端を持ち上げていくと４本リンク１２の周りに旋回して完全に裏返しとなり、中部２の上に隙間なく重なる。
前述のように４本リンクの特性として、前部１を旋回させていくとリンク１２の結合材が互いに離れていき、したがって、結合材を取り付けた前部１の端部は高く上がっていき、どの部位もつかえたり、衝突せず、かつ、隙間なく積み重なる。そして最終的に図１に鎖線で描いた前部１００、４本リンク１２０の状態となる。図１において後部３の後端を引き起し、後部３００の位置にすれば、４本リンク２３１の状態になり、前記の固定機構により固定すれば背もたれとなる。適切に設計すれば後部３００と中部２または前部１００と隙間なく密着させることができる。即ち、前部１００とともにソファとなる。固定機構のボタン２３９を内蔵ばねに抗してスライドさせて直結されているピンを穴列２４０から抜き、さらに倒して後部３０１の状態を経て後部３０２、４本リンク２３３の状態となる。この時、最初は水平となっていた前部１、後部３はいずれも前述のとおり、４本リンクの特性によって、中部２の上に順次、隙間なく整然と積み重なり、最小の容積となる。
最小容積、またはソファとした状態から展開してベッドとするには、以上述べた操作の逆の操作を逆の順序で行なえばよい。
【０００９】
【発明の効果】
この発明には次のような効果がある。
４本リンクを使用したのでベッドまたは、同様の機能の家具からソファまたは椅子に、簡単な操作で円滑に折り畳み、また、その逆が可能で、ベッド、ソファの両形態で身体を確実に安定して保持し、更に背もたれを倒して各部が順次、整然と積み重なり、最小の容積となるソファベッドが実現できる。
【図面の簡単な説明】
【図１】展開したソファベッドの右側図面。鎖線で折り畳み状態を示す。
【図２】ソファベッドを折り畳んでソファとした時の４本リンク２３１付近の部分的拡大斜視図。
【符号の説明】
１、１００      前部
１２、１２０      ４本リンク
２        中部
２１        枠
２３、２３１、２３３      ４本リンク
２３５、２３６、２３７、２３８      リンク
３、３００、３０１、３０２      後部
３１    枠
【図１】
0003577565.tif 000002
【図２】
0003577565.tif 000003